(57)【要約】【課題】風向偏向羽根と人・物検知センサーを具備した空気調和機の室内ユニットにおいて、外観品位とセンサーの検知機能を両立させることができない。【解決手段】空気調和機の室内ユニットが運転停止時には、風向偏向羽根と室内ユニットの間にで人・物検知センサーを隠蔽し、一方運転時には風向偏向羽根が駆動し、人・物検知センサー前方の検知領域から風向偏向羽根を退避させ、検知空間領域を確保することで機能の両立を図ることができる。【選択図】図１
2011075239.tif 000002
【特許請求の範囲】
【請求項１】
熱交換器及び送風ファンを含む送風回路の出口側に形成された吹出口に、風向制御用の風向偏向羽根を有し、人あるいは物を検知するセンサーを具備する空気調和機の室内ユニットにおいて、前記センサーは前記室内ユニットの表面に設けられ、前記空気調和機の運転停止時には、前記センサーを記風向偏向羽根で覆い隠すようにし、前記空気調和機の運転時には、前記センサーの感知が可能となるように前記風向偏向羽根が開き、前記センサーの検知空間領域から前記風向偏向羽根を退避することを特徴とする空気調和機の室内ユニット。
【請求項２】
前記センサーは前記室内ユニットの表面から突出して設けられたことを特徴とする請求項１記載の空気調和機の室内ユニット。
【請求項３】
前記風向偏向羽根の長手方向の長さが前記室内ユニットの横幅と略同一にすると共に、前記空気調和機の運転停止時に、前記風向偏向羽根と前記空気調和機の室内ユニットとの間に前記センサーが収納されることを特徴とする請求項１〜２のいずれかに記載の空気調和機の室内ユニット
【発明の詳細な説明】
【技術分野】
【０００１】
本発明は空気調和機に関し、具体的には上下風向制御用の風向偏向羽根を有し、人あるいは物を検知するセンサーを搭載する空気調和機の室内ユニットに関するものである。
【背景技術】
【０００２】
従来、上下風向制御用の風向偏向羽根とセンサーを具備し、前記センサーで人あるいは物を感知させる構成の空気調和機の室内ユニットでは、前記センサーを常に露出させて外観形状の一部としていた（図示せず）。
【先行技術文献】
【特許文献】
【０００３】
【特許文献１】特開２００８―１５７５１４号公報
【発明の概要】
【発明が解決しようとする課題】
【０００４】
前記従来の構成の多くは、空気調和機の室内ユニットが動作・停止しているに関わらず、前記センサーを露出させている構成となっているため、凹凸形状が多い外観となっており、室内に設置される設備としては、不必要に目立つものとなっており、外観上、優れたものではなかった。
【課題を解決するための手段】
【０００５】
前記従来の課題を解決するために、本発明の空気調和機の室内ユニットは、熱交換器及び送風ファンを含む送風回路の出口側に形成された吹出口に、風向制御用の風向偏向羽根を有し、人あるいは物を検知するセンサーを具備し、前記センサーは前記室内ユニットの表面に設けられ、前記空気調和機の運転停止時には、前記センサーを記風向偏向羽根で覆い隠すようにし、前記空気調和機の運転時には、前記センサーの感知が可能となるように前記風向偏向羽根が開き、前記センサーの検知空間領域から前記風向偏向羽根を退避するものである。
【０００６】
この構成をなすことにより、空気調和機の運転時には前記センサーを前記風向偏向羽根で覆い隠し、外観上の凹凸を削減することで外観品位を向上させる。一方、空気調和機の運転時には前記センサーの感知が可能となるように前記風向偏向羽根が前記センサーの検知空間領域から前記風向偏向羽根を退避するように開くことで、センサー左右及び前方の領域を解放し、停止時の外観品位と動作時の機能を両立することが可能となる。
【発明の効果】
【０００７】
本発明の空気調和機の室内ユニットは、空気調和機の室内ユニットが停止時には、外観の凹凸を軽減することで外観品位を向上させ、動作時にはセンサーの機能を阻害せず、両立を図ることができる。
【発明を実施するための最良の形態】
【０００８】
第１の発明は、熱交換器及び送風ファンを含む送風回路の出口側に形成された吹出口に、風向制御用の風向偏向羽根を有し、人あるいは物を検知するセンサーを具備する空気調和機の室内ユニットにおいて、前記センサーは前記室内ユニットの表面に設けられ、前記空気調和機の運転停止時には、前記センサーを記風向偏向羽根で覆い隠すようにし、前記空気調和機の運転時には、前記センサーの感知が可能となるように前記風向偏向羽根が開き、前記センサーの検知空間領域から前記風向偏向羽根を退避することで外観品位を向上
させ、運転時にはセンサーの機能を阻害せず、両者の両立を図ることができる。
【０００９】
第２の発明は、特に第１の発明のセンサーを前記室内ユニットの表面から突出して設けらたもので、この構成により、外観品位を向上させつつ、運転時にはセンサーの機能を阻害せず、両者の両立を図ることができる。
【００１０】
第３の発明は、特に第１〜第２の発明の風向偏向羽根の長手方向の長さを前記室内ユニットの横幅と略同一にすると共に、前記空気調和機の運転停止時に、前記風向偏向羽根と前記空気調和機の室内ユニットとの間に前記センサーが収納することで、センサーの配置範囲を室内ユニット全長方向のどこに配置しても、検知機能を損なうことがなく、さらに空気調和機の運転停止時の外観品位を向上させることができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における空気調和機の室内ユニット１の正面図である。図２は、室内ユニット１の斜視図である。また、図３は同斜視図で、空気調和機の停止時の様子と運転時の様子とを示す図である。
【００１３】
図１、図２に示すように、室内ユニット１の前面下方には吹出口５が設けられ、その前方には吹出口５を開閉する風向偏向羽根３が配設されている。また、吹出口５の近傍には人あるいは物を検知するセンサー４が配置されている。
【００１４】
図２に示されるセンサー４を図３で示す通り、空気調和機の室内ユニット１が停止時には、風向偏向羽根３が閉まることで、センサー４が風向偏向羽根３の裏側に隠れ、使用者から視認できない構成をとっている。
【００１５】
一方、室内ユニット１の動作時には図３で示す通り、風向偏向羽根３が空気調和を行うために開き、その動作によりセンサー４前方及び左右の領域が開放されることで、センサー４の前方に十分に広い空間が現れ、阻害することがなくセンサー４の検知機能が発揮される。
【００１６】
なお、第１の実施の形態では図１においてセンサー４の位置を、左方、中央、右方の３通りで示したが、センサー４の設置場所はこれらのいずれでもよく、またこれらの場所の複数の組み合わせでもよい。いずれの場合でも、外観を損なうことなく、センサーの検知機能を十分に発揮することができる。
【産業上の利用可能性】
【００１７】
以上のように、本発明の空気調和機の室内ユニットにかかる構造は、空気調和機以外にも羽根を有し、人あるいは物を検知するセンサーを搭載する除湿機や空気清浄機においても適用可能である。
【図面の簡単な説明】
【００１８】
【図１】本発明の実施の形態１における空気調和機の室内ユニットの正面図
【図２】本発明の実施の形態１における空気調和機の室内ユニットの斜視図
【図３】本発明の実施の形態１における風向偏向羽根動作図
【符号の説明】
【００１９】
１  空気調和機の室内ユニット
２  パネル
３  風向偏向羽根
４  センサー
５  吹出口
【図１】
2011075239.tif 000003
【図２】
2011075239.tif 000004
【図３】
2011075239.tif 000005